Podtech/llm-jp-corpus-v4-ja_patent huggingface dataset:
(57)【要約】【課題】  固定軸の頭部の挿入穴に、挿入軸を設けた化粧カバーを打ち込むことにより簡単、容易に取り付けられ、特にアンカー部を設けるタイプは、抜けにくく長期間使用できると共に、ネジでも釘でも使用できる化粧カバー付固定具を提供する。【解決手段】  固定軸の頭部に挿入穴を設けた穴付固定体と、挿入穴に取り付けるべく、挿入軸を突設した化粧カバーとからなることを特徴とする。【選択図】  図１
2005114153.tif 000002
【特許請求の範囲】
【請求項１】
固定軸の頭部に挿入穴を設けた穴付固定体と、挿入穴に取り付けるべく、挿入軸を突設した化粧カバーとからなることを特徴とする化粧カバー付固定具。
【請求項２】
化粧カバーの挿入軸に、アンカー部を設けてなることを特徴とする請求項１記載の化粧カバー付固定具。
【請求項３】
固定軸が、ネジであることを特徴とする請求項１又は２記載の化粧カバー付固定具。
【請求項４】
固定軸が、釘であることを特徴とする請求項１又は２記載の化粧カバー付固定具。
【請求項５】
釘に設けた挿入穴を段差状に形成してなることを特徴とする請求項４記載の化粧カバー付固定具。
【請求項６】
化粧カバーが、合成樹脂製であることを特徴とする請求項１、２、３、４又は５記載の化粧カバー付固定具。
【発明の詳細な説明】
【技術分野】
【０００１】  この発明は、ねじ込んだネジあるいは打ち込んだ釘の頭部を隠す化粧カバーを付設してなる化粧カバー付固定具に関するものである。
【背景技術】
【０００２】  背景技術として、ネジを外部から見えないように筐体に締結させるネジキャップ構造において、該ネジのネジ頭にかぶせる凹部を有するゴム材または樹脂材で作られたキャップと、前記ネジの軸が挿入される切欠きを有する金属製プレートとを備え、前記キャップと前記プレートとを嵌合させて両者間に前記ネジ頭を挟持させるため、前記キャップにリブを設置し、且つ該リブに嵌着する引掛け部を前記プレートに設けたことを特徴とするネジキャップ構造がある。（特許文献１参照）【０００３】
【特許文献１】  特開平８−２２６４３１号公報（請求項１、図２）
【発明の開示】
【発明が解決しようとする課題】
【０００４】  上記のような形態は、キャップとプレートにより構成されており、必然的に構造が複雑となり、コストも高くなる。
また、ネジを取り付けた後では、プレートを取り付けるのは困難であり、作業上問題がある。
さらに、釘ではプレートを取り付けにくい（特に引掛け部がハンマー等で壊れる危険性がある）。【０００５】  本発明は、上記の問題点に鑑みなされたもので、固定軸の頭部の挿入穴に、挿入軸を設けた化粧カバーを打ち込むことにより簡単、容易に取り付けられ、特にアンカー部を設けるタイプは、抜けにくく長期間使用できると共に、ネジでも釘でも使用できる化粧カバー付固定具を提供することを目的とする。
【課題を解決するための手段】
【０００６】  課題を解決するための手段として、固定軸の頭部に挿入穴を設けた穴付固定体と、挿入穴に取り付けるべく、挿入軸を突設した化粧カバーとからなること。また、化粧カバーの挿入軸に、アンカー部を設けてなること。さらに、固定軸が、ネジであること。固定軸が、釘であること。さらにまた、釘に設けた挿入穴を段差状に形成してなること。その上、化粧カバーが、合成樹脂製であることを特徴とする。
【発明の効果】
【０００７】１）、固定軸の頭部の挿入穴に化粧カバーの挿入軸を打ち込むことにより、簡単・容易に取り付けることができる。
２）、特にアンカー部を設けることにより、より抜けにくく長期間使用できる。
３）、固定軸をネジとすることにより、強固に固定する場所に有効である。
４）、固定軸を釘とすることにより、軽度に固定する場所に有効である。
５）、挿入穴を段差状に形成することにより、木ハンマー等により挿入穴が潰れても化粧カバーを取り付けることができる。
６）、化粧カバーを合成樹脂製とすることにより挿入穴に挿入軸を密着して固定できる。
【発明を実施するための最良の形態】
【実施例１】
【０００８】  化粧カバー付固定具１は、ネジによる固定軸２ａの＋穴２ｂ１を形設してなる頭部２ｂに、ややテーパー状の挿入穴２ｂ２を設けた穴付固定体２と、挿入穴２ｂ２に適宜圧入して取り付けるべく、挿入軸３ａを半円球状の化粧頭３ｂの下面中央に突設してなる化粧カバー３とからなるものである。【０００９】  また、別の化粧カバー２３として、挿入軸２３ａの先端外周（４箇所）にアンカー部２３ａ１を設けてなるものも一考である。
なお、アンカー部２３ａ１は４箇所に限定するものではない。【００１０】  つぎに、上記化粧カバー付固定具１の使用例について下記に述べる。
壁Ｋ等に化粧が必要なネジを取り付ける場合、まず穴付固定体２をプラスドライバーにて螺入した後、挿入穴２ｂ２に化粧カバー３の挿入軸３ａを木ハンマー（図示せず）等にて打ち込み固定することにより、表面から穴付固定体２の頭部２ｂが見えることなく美的に使用できるものである。
【実施例２】
【００１１】  化粧カバー付固定具２１は、釘による固定軸２２ａの頭部２２ｂに、ややテーパー段差状の挿入穴２２ｂ２を設けた穴付固定体２２と、前記と同様な機能を有する皿形に形成した化粧カバー２３とからなるものである。【００１２】  なお、上記各実施例において、穴付固定体の大きさや長さ及び材質等は、特に限定するものではない。
また、化粧カバーの形状や大きさ等は上記実施例に限定せず自由に設定すればよい。
さらに、化粧カバーの挿入軸は必要な長さにカットしても使用できる。
【図面の簡単な説明】
【００１３】
【図１】  本発明の化粧カバー付固定具の第１実施例を示す一部破断正面図。
【図２】  本発明の化粧カバー付固定具の穴付固定体の第１実施例を示す正面図。
【図３】  本発明の化粧カバー付固定具の穴付固定体の第１実施例を示す側面図。
【図４】  本発明の化粧カバー付固定具の化粧カバーの第１実施例を示す正面図。
【図５】  本発明の化粧カバー付固定具の化粧カバーの第１実施例を示す側面図。
【図６】  本発明の化粧カバー付固定具の化粧カバーの第２実施例を示す正面図。
【図７】  本発明の化粧カバー付固定具の使用状態を示す正面図。
【図８】  本発明の化粧カバー付固定具の第２実施例を示す正面図。
【図９】  本発明の化粧カバー付固定具の穴付固定体の第２実施例を示す一部破断正面図。
【符号の説明】
【００１４】１−−−化粧カバー付固定具
２−−−穴付固定体
２ａ−−固定軸
２ｂ−−頭部
２ｂ１−＋穴
２ｂ２−挿入穴
３−−−化粧カバー
【図１】
2005114153.tif 000003
【図２】
2005114153.tif 000004
【図３】
2005114153.tif 000005
【図４】
2005114153.tif 000006
【図５】
2005114153.tif 000007
【図６】
2005114153.tif 000008
【図７】
2005114153.tif 000009
【図８】
2005114153.tif 000010
【図９】
2005114153.tif 000011
(57)【要約】【課題】  クランクシャフトの剛性を落すことなくその重量を軽減することができる多気筒エンジンのクランクシャフト粗材を提供する。【解決手段】  ジャーナル２から型抜き方向に突出するアーム３および型抜き方向と異なる方向に突出するアーム３の先端にそれぞれピン４を設けた鍛造クランクシャフト粗材１において、前記型抜き方向に突出するアーム３におけるジャーナル側表面５およびピン側表面６の中央部に、型抜き方向先端側が開放端となる凹溝７、８による肉盗みを設けて駄肉を削減したことにより、クランクシャフトの剛性を低下させることなくその重量を軽減するようにした。【選択図】  図１
2005114131.tif 000002
【特許請求の範囲】
【請求項１】
ジャーナル２から型抜き方向に突出するアーム３および型抜き方向と異なる方向に突出するアームの先端にそれぞれピン４を設けた鍛造クランクシャフト粗材１において、前記型抜き方向に突出するアーム３におけるジャーナル側表面５およびピン側表面６の中央部に、型抜き方向先端側が開放端となる凹溝７、８による肉盗みを設けたことを特徴とする多気筒エンジンのクランクシャフト粗材。
【発明の詳細な説明】
【技術分野】
【０００１】
本発明は、多気筒エンジンの鍛造クランクシャフト粗材に係り、特に、剛性を落すことなく軽量化を図ることができる粗材に関するものである。
【背景技術】
【０００２】
例えば直列６気筒エンジン用のクランクシャフトをツイスト工法を用いない一体鍛造で製作するに際して、従来では型抜き方向に突出するアームであっても、片割り線との関係から肉盗みすることができない他のアームと同一形状にしていたために、剛性にほとんど寄与しない部分に駄肉がついてしまい、重量を軽減するにも限界があった（例えば特許文献１を参照）。
【特許文献１】特開２００３−３５３０７号公報
【発明の開示】
【発明が解決しようとする課題】
【０００３】
解決しようとする問題点は、クランクシャフトの剛性を落すことなくその重量を軽減することができない点である。
【課題を解決するための手段】
【０００４】
本発明は、ジャーナルから型抜き方向に突出するアームおよび型抜き方向と異なる方向に突出するアームの先端にそれぞれピンを設けた鍛造クランクシャフト粗材において、前記型抜き方向に突出するアームにおけるジャーナル側表面およびピン側表面の中央部に、型抜き方向先端側が開放端となる凹溝による肉盗みを設けたことを最も主要な特徴としている。
【発明の効果】
【０００５】
本発明は、クランクシャフトの剛性にさほど寄与しないアームにおけるジャーナル側表面およびピン側表面の中央部に、型抜き方向先端側が開放端となる凹溝による肉盗みを設けたものであるから、剛性を落すことなく多気筒エンジンの鍛造クランクシャフトを軽量化することができるという利点がある。
【発明を実施するための最良の形態】
【０００６】
図１は本発明に係る多気筒エンジンのクランクシャフト粗材の一実施形態を示す要部の側面図、図２は図１のＡ矢視図である。
【０００７】
これらの図において、クランクシャフト粗材１には、ジャーナル２から図示しない鍛造型の型抜き方向に突出する第２、第５気筒用のアーム３および型抜き方向と異なる方向に突出する第１、第３、第４、第６気筒用のアーム（いずれも図示省略）を設けており、各アームの先端にそれぞれピン４を設けている。
【０００８】
ここに本実施形態においては、型抜き方向に突出する第２、第５気筒用のアーム３におけるジャーナル側表面５およびピン側表面６の中央部に、型抜き方向先端側を開放端とした凹溝７、８による肉盗みを設けることにより、このアーム３の重量を低減している。
【０００９】
なお、ジャーナル２およびピン４ならびにアーム３には必要に応じて従来同様に潤滑油路を設けるとともに、ジャーナル２およびピン４の表面を研削加工してクランクシャフトが構成される。
【００１０】
ところで、本実施形態においては開放端に至るにつれて深さが漸増する凹溝７、８による肉盗みを設けて鍛造型の抜き勾配を確保するようにしているが、要するに鍛造段階で肉盗みを形成することができるものであれば凹溝７、８の形状は任意である。
【００１１】
また、クランクシャフトの回転方向前面および後面を除外して、アーム３におけるジャーナル側表面５およびピン側表面６の中央部に凹溝７、８を設けて肉盗みをして駄肉を削減するようにしたものであるために、クランクシャフトの捩り剛性に大きな影響を及ぼす回転方向へのアーム３の剛性はほとんど低下しない。
【００１２】
そして、肉盗みによる重量の軽減分に相当する分だけ図示しないバランスウェイトを軽量化してクランクシャフトの重量を軽減することができるために、全体として、肉盗みによる軽減重量のほぼ２倍に相当する重量を軽減することが可能となる。よって、クランクシャフトの剛性を低下させることなくその重量を軽減することができ、エンジンの重量軽減に寄与するところは大きい。
【００１３】
なお、実施形態においては、本発明を直列６気筒エンジンの鍛造クランクシャフト粗材に適用しているが、例えば直列５気筒エンジン用のクランクシャフトのように鍛造型抜き方向に突出するアームと型抜き方向と異なる方向に突出するアームの先端にそれぞれピンを設けた鍛造クランクシャフト粗材であれば本発明を適用して上記実施形態の場合と同様の作用効果を得ることができる。
【図面の簡単な説明】
【００１４】
【図１】本発明に係る多気筒エンジンのクランクシャフト粗材の一実施形態を示す要    部の側面図である。
【図２】図１のＡ矢視図である。
【符号の説明】
【００１５】
１    クランクシャフト粗材
２    ジャーナル
３    アーム
４    ピン
５    ジャーナル側表面
６    ピン側表面
７、８    凹溝
【図１】
2005114131.tif 000003
【図２】
2005114131.tif 000004
(57)【要約】【課題】  ヘッダタンクの絞り性を向上させ、タンク割れが発生するおそれのない熱交換器を提供する。【解決手段】  本発明は、熱交換用チューブと、該チューブの端部に設けられたヘッダプレートと、該ヘッダプレートに設けられたヘッダタンク１１とを有する熱交換器において、ヘッダタンク１１は絞り加工により形成されるようになっており、ヘッダタンク１１には外側に突出するビード１５が形成されていることを特徴とし、ヘッダタンクの絞り性を向上させることができ、ヘッダタンクの成形が容易となる。【選択図】  図１ 
2005114192.tif 000002
【特許請求の範囲】
【請求項１】
熱交換用チューブと、該チューブの端部に設けられたヘッダプレートと、該ヘッダプレートに設けられたヘッダタンクとを有する熱交換器において、
前記ヘッダタンクは絞り加工により形成されるようになっており、前記ヘッダタンクには外側に突出するビードが形成されていることを特徴とする熱交換器。
【発明の詳細な説明】
【技術分野】
【０００１】
本発明は、自動車用ラジエータ、インタークーラ、産業用アフタークーラ等の熱交換器に関する。
【背景技術】
【０００２】
従来、自動車用ラジエータ等の熱交換器は、チューブ及びフィンから成るコアと、チューブの端部に設けられたヘッダプレートと、ヘッダプレートに嵌着可能なヘッダタンク１とから概略構成されている。
【０００３】
そして、ヘッダタンク１は、図３及び図４に示されているように、細長箱状を成し、絞り加工により一体成形されるようになっている。また、ヘッダタンク１の両側壁２には、ヘッダタンク１において甲高い騒音が発生するのを抑制する等の理由から、それぞれ複数のビード３が内側に凹んで形成されている。（例えば、特許文献１参照）。
【０００４】
【特許文献１】特開平９−７９７８７号公報
【発明の開示】
【発明が解決しようとする課題】
【０００５】
しかしながら、上記した従来の熱交換器では、ヘッダタンク１の両側面２にビード３がそれぞれ内側に凹んで形成されているため、ビード３が形成されている部分のヘッダタンク１の幅が狭くなり、ヘッダタンク１の絞り性が悪化し、タンク割れを発生させるおそれがあった。
【０００６】
本発明は、上記課題を解決すべくなされたものであり、ヘッダタンクの絞り性を向上させ、タンク割れが発生するおそれのない熱交換器を提供するものである。
【課題を解決するための手段】
【０００７】
本発明は、熱交換用チューブと、該チューブの端部に設けられたヘッダプレートと、該ヘッダプレートに設けられたヘッダタンクとを有する熱交換器において、前記ヘッダタンクは絞り加工により形成されるようになっており、前記ヘッダタンクには外側に突出するビードが形成されていることを特徴とする。
【発明の効果】
【０００８】
本発明によれば、ビードが外側に突出するように形成されているため、絞り性が向上し、ヘッダタンクの成形が容易となり、また、タンク割れの発生を防止することができる等、種々の優れた効果を得ることができる。
【発明を実施するための最良の形態】
【０００９】
以下、図面を参照しつつ、本発明の実施の形態について説明する。なお、以下の説明では、本発明に係る熱交換器を自動車用ラジエータに適用した場合について説明する。
【００１０】
図１は、本発明の実施の形態に係る熱交換器のヘッダタンク１１を示す正面図であり、図２は、図１のＡ−Ａ断面図である。
【００１１】
本実施の形態に係る熱交換器は、チューブ及びフィンから成るコアと、チューブの端部に設けられたヘッダプレートと、ヘッダプレートに嵌着可能なヘッダタンク１１とを備えている。
【００１２】
図１及び図２に示すように、ヘッダタンク１１は、一端面１２側（図示では、下側）が開口された細長箱状を成しており、一端面１２側は前記ヘッダプレートにより閉塞されるようになっている。また、ヘッダタンク１１は、図２において破線で示されているようにシルクハット状を成しており、一端面１２側には拡幅部１３が設けられ、絞り加工により形成されるようになっている。そして、ヘッダタンク１１の両側面１４には、ビード１５が外側に突出して形成され、ビード１５はヘッダタンク１１の側面１４の幅狭方向（図示では上下方向）に所定間隔で複数並設されている。また、ビード１５の突出面１６は拡幅部１３の側面１７と同一面を成している。
【００１３】
このように、ビード１５はヘッダタンク１１の両側面１４において外側に突出するように形成されているため、ビード１５の段差が少なくなり、絞り性を向上させることができる。したがって、ヘッダタンク１１の成形が容易となり、また、タンク割れの発生を防止することができる。
【００１４】
そして、この熱交換器は、前記ヘッダプレートに前記チューブの端部を挿通し、前記チューブの間に前記フィンを配設すると共に、前記ヘッダプレートにヘッダタンク１１を嵌着し、その後、高温の炉内で各接合部のロウ材を溶融し、一体的にロウ付け固定することにより、製造される。
【００１５】
なお、上記実施の形態においては、ヘッダタンク１１はシルクハット状を成しているが、これは単なる例示であり、Ｕ字状又はコの字状の横断面を有する形状等、他の形状を成していてもよい。
【００１６】
また、本発明は、上記した自動車用ラジエータに限らず、自動車用インタークーラや産業用アフタークーラ等、他の熱交換器にも適用可能である。
【図面の簡単な説明】
【００１７】
【図１】本発明の実施の形態に係る熱交換器のヘッダタンクを示す正面図である。
【図２】図１のＡ−Ａ断面図である。
【図３】従来例を示す正面図である。
【図４】図３のＢ−Ｂ断面図である。
【符号の説明】
【００１８】
１１          ヘッダタンク
１５          ビード
【図１】
2005114192.tif 000003
【図２】
2005114192.tif 000004
【図３】
2005114192.tif 000005
【図４】
2005114192.tif 000006
(57)【要約】【課題】  本発明は、ホ−スの外表面に付いた傷や突起物の有無の検査を簡単にしかも正確に検知できることを目的とするものであり、検査工程が極めて容易となった。【解決手段】  外表面の傷や突起物の有無を検出する被検査ホ−スと、気体若しくは液体を一定の圧力をもって封入するチャンバーとを備え、チャンバー内に気密下にホ−スを挿入し、両者を相対的にスライドさせる工程、チャンバ−内の圧力を測定する工程、傷の存在による圧力降下を電気的若しくは機械的に検出する工程、からなることを特徴とするホース外表面の傷や突起物等の有無の検査方法。１‥被検査ホ−ス、２‥気密チャンバ−、３‥空気圧入装置、４‥圧力降下測定装置、５‥パッキン。【選択図】  図１
2005114559.tif 000002
【特許請求の範囲】
【請求項１】
外表面の傷や突起物の有無を検出する被検査ホ−スと、気体若しくは液体を一定の圧力をもって封入するチャンバーとを備え、チャンバー内に気密下にホ−スを挿入し、両者を相対的にスライドさせる工程、チャンバ−内の圧力を測定する工程、傷の存在による圧力降下を電気的若しくは機械的に検出する工程、からなることを特徴とするホース外表面の傷や突起物等の有無の検査方法。
【発明の詳細な説明】
【技術分野】
【０００１】
本発明は、ゴム製やプラスチック製ホースの外傷や突起物の有無等の検査方法に関するものである。
【背景技術】
【０００２】
従来、気体、液体用ホースを生産する際、生産工程の最後の検査工程でホースの外面の傷や突起物等の有無を主として目視にて検査している。ただし、ナイフ様の鋭利なものでホースの外表面に付けられた傷は極めて発見困難であった。
【０００３】
先ず、目視方式であるが、例えば、黒色のホースに市販の鋭利なナイフ等で傷が付いてしまった場合には、傷の幅は０．１ｍｍ以下しかなく、傷の色も黒いため目視による発見はほぼ不可能であった。
【０００４】
一方、目視検査で傷の発見が困難なため、カメラによる画像処理も試みられてはいるが、ホース外表面にはメーカーマーク、サイズマーク等の文字や記号が着色プリントされている。この影響を受け、画像処理がむずかしく現在成功に至ってない。
【発明の開示】
【発明が解決しようとする課題】
【０００５】
本発明は以上のような従来技術に鑑みてなされたものであり、ホース外表面の傷等を物理的手段により検出する方法に係るものである。
【課題を解決するための手段】
【０００６】
本発明の要旨は、外表面の傷や突起物等を検出する被検査ホ−スと、気体若しくは液体を一定の圧力をもって封入するチャンバーとを備え、チャンバー内に気密下にホ−スを挿入し、両者を相対的にスライドさせる工程、チャンバ−内の圧力を測定する工程、傷の存在による圧力降下を電気的若しくは機械的に検出する工程、からなるホース外表面の傷や突起物の有無の検査方法に係るものである。
【発明の効果】
【０００７】
本発明によれば、ホ−スの外表面に付いた傷や突起物の有無の検査を簡単にしかも正確に検知できることとなったものであり、圧力チャンバ−或いは被検査ホ−スを相対的に移動させて傷等の位置を容易に確認するものである。
【発明を実施するための最良の形態】
【０００８】
以下、本発明をホース外表面の傷の検出方法として具体的に説明する。即ち、被検査ホースの外表面に比較的小容量の気密チャンバーを構成し、その気密チャンバー内に気体若しくは液体を一定の圧力をもって封入する。次いで、その気密チャンバを被検査ホースの長手方向にスライドさせる。
【０００９】
従って、被検査ホースの外表面に傷の付いた部位に至り、傷が気密チャンバ−の内外に跨がると、この傷道を通って気密チャンバー内に封入された気体若しくは液体の一部が漏洩する。これにより、チャンバ−内の封入圧力が一瞬ではあるが低下する。本発明はこのわずかな圧力降下を電気的若しくは機械的に検出することによってホース外表面の傷探査を行う方法である。尚、圧力低下の測定方法は特に限定するものではない。
【実施例】
【００１０】
図１は本発明を示す概略図である。１は被検査ホ−ス、２は気密チャンバ−である。３はチャンバ−２内に空気を圧入する装置、４はチャンバ−２内の圧力の降下を測定する装置である。気密チャンバ−２はその内部をホ−ス１が挿入されるが、ホ−ス１の外表面との間の気密保持にはゴム等の弾力性を有するパッキン５をもって構成される。
【００１１】
この図例では、チャンバ−２を被検査ホ−ス１の長手方向に沿って一定速度で移動させる。そして、ホ−ス１の外表面に傷があると、気密チャンバ−２内の空気圧が一瞬わずかに低下するのでこの圧力変動を検知するものである。
【００１２】
この方式によれば、ホース１の外表面との気密保持に用いるパッキン５が万一劣化破損した場合に気密保持ができなくなり、ホース１の外傷を検出した場合と同じ警報が発令されるシステムとしての構成が可能である。即ち、ホース１の外表面及び傷検出装置としてのチャンバ−２の双方が完全でないと、良品であるとの信号がでないフエールセーフシステムとして組み上げることができる。
【００１３】
又、実際のシステムにおいてはパッキン５がホースとの摩擦により早期劣化するのを防ぐため、水又は無害な減摩液等をホース１の表面に散布することによりパッキン５の寿命延長をはかることができる。
【産業上の利用可能性】
【００１４】
本発明によれば、ホ−スの外表面に付いた傷や突起物の有無の検査を簡単にしかも正確に検知できることとなったものであり、検査工程が極めて容易となったものである。この例ではホース外表面にナイフ等で傷付けられた事例を中心に説明したが、ホースの製造工程にてホース外表面に突出したワイヤ、ゴム又は付着した異物等の突起物の有無についても検出可能で、その利用範囲は広い。
【図面の簡単な説明】
【００１５】
【図１】図１は本発明のホースの外傷等の検査方法を示す概略図である。
【符号の説明】
【００１６】
１‥被検査ホ−ス、
２‥気密チャンバ−、
３‥空気圧入装置、
４‥圧力降下測定装置、
５‥パッキン。
【図１】
2005114559.tif 000003
(57)【要約】【課題】鏡を見ている時に、部分的に大きく見たい場合、体の位置を変えるこなく拡大して見ることができる。【解決手段】凸面鏡を用い、平面鏡の上をスライドさせる。【選択図】図１
2005292755.tif 000002
【特許請求の範囲】
【請求項１】
平面鏡にスライド用のレールをとりつける。
【請求項２】
凸面鏡をのせた台座をレールにはめる。
【請求項３】
凸面鏡の移動はスライド式で、移動後の固定には磁力を使用する。
【発明の詳細な説明】
【技術分野】
【０００１】平面鏡にスライド用のレールを取り付け、凸面鏡をのせた台座をレールにはめる。【０００２】凸面鏡の移動は台座の裏の磁石と、平面鏡側の鉄板との磁力により、上下に移動させ、固定できる。【０００３】平面鏡の裏にスタンドを取り付け、壁掛けにも、卓上で使用することもできる。【０００４】スタンドの角度によって鏡の傾斜を変えることができる。
【背景技術】
【０００５】従来の技術では凸面鏡が固定されていた（例えば実用新案公開平５−９１４５９参照）が、スライドを用い移動できる。
【発明が解決しようとする課題】
【０００６】部分的に大きく見たい時、体の位置を変えることなく拡大して見ることができる。
【０００７】凸面鏡を移動、固定させるとき、できるだけスムーズに動くようにする。
【０００８】壁掛けでも卓上でも使うことができる。
【課題を解決するための手段】
【０００９】凸面鏡を用い平面鏡の上をスライドさせる。
【００１０】凸面鏡の移動と固定には磁力を利用する。
【００１１】スタンドをつけて壁掛けでも卓上でも使用できる。
【発明の効果】
【００１２】化粧や鼻毛カットの時など、鏡に近づきすぎてやりにくいことがある。平面鏡に取り付けた凸面鏡をスライドさせ、見たい所へ持って行くと体を近づけることなく定位置で作業をすることができる。
【発明を実施するための最良の形態】
【００１３】平面鏡の上を磁力を利用したスライドで、凸面鏡が移動する。【００１４】そのまま壁に掛けて使用することもスタンドを立てて卓上で使用することもできる。
【実施例】
【００１５】凸面鏡側の裏に取り付けた磁石と、平面鏡側の鉄板との磁力により上下にスライドさせ、移動、固定することができる。【００１６】壁に設置することも、スタンドを立てて卓上で使用することもできる。【００１７】卓上で使用するときスタンドの角度によって鏡の傾斜を変えることができる。
【産業上の利用可能性】
【００１８】鏡のサイズに関係なく利用可能。【００１９】壁掛けにもなり、卓上にも置け、設置場所多数。
【図面の簡単な説明】
【００２０】凸面鏡と平面鏡の関係を示した図である。【図１】全体を示した図である。
【図２】横の断面図を示した平面図である。
【符号の説明】
１  外枠    ２  鉄板    ３  平面鏡    ４  凸面鏡    ５  凸面鏡の台座    ６  磁石    ７  スタンド
【図１】
2005292755.tif 000003
【図２】
2005292755.tif 000004
(57)【要約】      （修正有）【課題】ＡＴＭ及びＣＤ利用時にもれなく発行されるジャーナルの利用明細書を利用した広告方法を提供する。【解決手段】ＡＴＭ及びＣＤ利用時にもれなく発行されるジャーナルに企業等の宣伝広告を発行者、及び、受領者に最適と思われる大きさ、位置で、且つ、宣伝効果の最も高いと思われる形状の広告を掲載する。【選択図】なし【特許請求の範囲】
【請求項１】
銀行やコンビニエンスストア、信用金庫、消費者金融等すべての金融機関に設置してあるすべてのＡＴＭ及びＣＤ機を利用した際に発行される通称明細書と呼ばれるものの余白部分を活用して、企業等の宣伝広告を掲載する。ＡＴＭとは現金自動預け入れ払い機の略。ＣＤ機とは現金自動支払機の略。
【発明の詳細な説明】
【技術分野】
【０００１】    本発明は、銀行等のＡＴＭ及びＣＤ機から発行される、通称ジャーナルと呼ばれる利用明細書への宣伝広告の掲載に関する。
【背景技術】
【０００２】  従来のＡＴＭ及びＣＤ機の利用時に発行されるジャーナルと呼ばれている利用明細書とは、取扱日・取引店・取引内容・取引金額などが記載されている用紙である。
【発明の開示】
【発明が解決しようとする課題】
【０００３】  国内には数千万台のＡＴＭ及びＣＤ機があり、この利用者に対して、もれなく発行されるジャーナルと呼ばれている利用明細書は取引明細としての役割しか果たしていないことを課題とする。
【課題を解決するための手段】
【０００４】  銀行やコンビニエンスストア、信用金庫、消費者金融等すべての金融機関に設置してあるすべてのＡＴＭ及びＣＤ機を利用した際に発行される通称明細書と呼ばれるものの余白部分を活用して、企業等の宣伝広告を掲載する。
【発明の効果】
【０００５】  ＡＴＭ及びＣＤ機、利用時に発行される利用明細書の余白部分を利用して企業等の宣伝広告を掲載し、銀行等は広告宣伝料を得ることができる。その結果、銀行等は利用者へ何らかのサービスができ、証明書としての役割しかない利用明細書の宣伝広告を公益なものにできる。
【発明を実施するための最良の形態】
【０００６】  発行者及び受領者に最適と思われる大きさ、位置で且つ宣伝効果の最も高いと思われる形状の広告を掲載する。
(57)【要約】【課題】  市販されているメガネを利用して、花粉の目への侵入を防ぐこと。【解決手段】  指に装着して顔に装着したメガネを擦るための指輪などの指装着具であって、手の甲側に向けられる部分の表面の少なくとも一部がガラスよりも帯電系列において下位の材料（負に帯電しやすい材料）で形成されていることを特徴とする指装着具を提供する。この指装着具でガラス製メガネをこすることでメガネがプラスに帯電し、花粉の目への進入を防止する。【選択図】  図１
2005292746.tif 000002
【特許請求の範囲】
【請求項１】
指に装着して顔に装着したメガネを擦るための指装着具であって、手の甲側に向けられる部分の表面の少なくとも一部がガラスよりも帯電系列において下位の材料（負に帯電しやすい材料）で形成されていることを特徴とする指装着具。
【請求項２】
前記手の甲側に向けられる部分の表面の少なくとも一部が弾性体から形成されていることを特徴とする請求項１に記載の指装着具。
【請求項３】
請求項１叉は２に記載の指装着具であって、手の甲側に向けられる部分の表面がフッ素含有樹脂を含んで形成されていることを特徴とする指装着具。
【請求項４】
指の第２関節叉は第３関節の手の甲側に１ｃｍ２以上の表面積を有する、メガネを擦る摩擦部を備えることを特徴とする、請求項１〜３のいずれかに記載の指装着具。
【請求項５】
前記摩擦部に凹凸形状を有することを特徴とする、請求項１〜４のいずれかに記載の指装着具。
【請求項６】
指の第２関節叉は第３関節の手の甲側に５ｍｍ以上の厚みの、メガネを擦る摩擦部を有することを特徴とする、請求項１〜５のいずれかに記載の指装着具。
【発明の詳細な説明】
【技術分野】
【０００１】  本発明は、指サック、指輪などの指装着具に関し、さらに詳しくはメガネを擦るために使用し、該メガネをプラスに帯電させる指装着具に関する。
【背景技術】
【０００２】  花粉はプラスに帯電しているため、正電荷を持たせたメガネによって、目に入る花粉をシャットアウトする試みが提案されている（特許文献１：特開２００３−２９５１２号公報）。しかし、特許文献１に提案されている技術では、特殊な花粉症対策専用のメガネが必要である。
【特許文献１】特開２００３−２９５１２号公報
【発明の開示】
【発明が解決しようとする課題】
【０００３】  本発明の目的は、一般に市販されているメガネを利用して、花粉の目への侵入を防ぐことである。
【課題を解決するための手段】
【０００４】  上記目的を達成するために、本発明は、手の甲側に向けられる部分の表面の少なくとも一部がガラスより帯電系列（帯電列）において下位である材料、つまりより負に帯電しやすい材料から形成されていることを特徴とする指に装着する指装着具である。従って、本発明に係る指装着具は、ガラスやプラスチックレンズと擦り合わせた場合に、それらをプラスに帯電させる。さらに、前記手の甲側に向けられる部分の表面の少なくとも一部をゴム材料（弾性体）から形成したり、あるいはフッ素含有樹脂を含んで形成したりすることで、より効果的にガラスやプラスチックレンズをプラスに帯電させることができる。【０００５】  また、指の第２関節又は第３関節の手の甲側に１ｃｍ２以上の表面積を有するメガネを擦る摩擦部を有する指装着具叉は指の第２関節又は第３関節の手の甲側に５ｍｍ以上の厚メガネを擦る摩擦部を有する指装着具であれば、メガネを擦る時に指がメガネと当たる可能性が少なく、より効果的にガラスやプラスチックレンズをプラスに帯電させることができる。【０００６】  そして、前記摩擦部に凹凸形状を有する指装着具であれば、メガネと擦りあわされる表面積が大きいので、より効果的にガラスやプラスチックレンズをプラスに帯電させることができる。
【発明の効果】
【０００７】本発明に係る指装着具は、ガラスやプラスチックレンズと擦り合わせた場合に、それらをプラスに帯電させるので、プラスに帯電した花粉等の花粉症原因粉体の目への侵入を防止することができる。
【発明を実施するための最良の形態】
【０００８】  本発明の指装着具は、その手の甲側に向けられる部分の表面の少なくとも一部、好ましくは５０％以上、より好ましくは８０％以上が、帯電系列において    ガラスより下位である材料、より好ましくはニッケルより下位である材料、さらに好ましくはゴムより下位である材料、より好ましくは（メタ）アクリル樹脂より下位である材料、いっそう好ましくはポリプロピレンより下位である材料、さらにいっそう好ましくは塩化ビニル樹脂より下位である材料で形成されている。特にポリテトラフルオロエチレンなどのフッ素含有樹脂が最も好ましい。【０００９】  また、ガラスを擦る際に指がメガネに触れるとメガネが負に帯電してしまうか、または正の電荷がメガネから逃げてしまうので、本発明の指装着具は指がメガネに触れるのを防ぐ全体形状であることが好ましい。例えば、前記摩擦部に関して、その大きさを、摩擦部の手の甲側からみた平面積が１ｃｍ２以上であるようにすることで手とメガネとの接触を防ぐことができ、さらに好ましくは２ｃｍ２以上、さらに好ましくは３ｃｍ３以上、さらにいっそう好ましくは４ｃｍ２以上とすればよい。また、指からの高さ（摩擦部の厚み）は３ｍｍ以上であることが好ましく、さらに好ましくは５ｍｍ以上であり、いっそう好ましくは７ｍｍ以上である。【００１０】  そして、メガネを擦る時の表面積を増大させるために、摩擦部には突起状、ヒダ状、毛状等の凹凸形状を設けることが好ましい。【００１１】  以下の説明に関する指装着具は、あくまでも例であって、本発明はこれらの例示により制限されるものではない。
図１に示した指輪（第１の指輪）は本発明を適用した指装着具の一例である。この第１の指輪１０は、人指し指にはめるためのリング部１と、メガネと擦り合わせる部分である摩擦部２を有し、摩擦部２は指の第２関節の外側をほぼ覆えるように、指に沿った長さが約３ｃｍ、幅約１．５ｃｍの板状のフッ素含有樹脂を加工して作成されたもので、さらにその表面には図示しないが細かい多数の凹凸が設けられている。
この第１の指輪１０でガラス製もしくはプラスチック製レンズを擦ると、第１の指輪は負１０に、それらレンズは正に帯電する。従って、プラスに帯電した花粉等の花粉症原因粉の目への侵入を防止することができる。【００１２】  図２に示した指輪（第２の指輪）は本発明を適用した指装着具の一例である。この第２の指輪２０は、人指し指にはめるためのリング部１と、メガネと擦り合わせる部分である摩擦部２を有し、該摩擦部２の表面部にはゴム状のフッ素含有樹脂からなるひだ３が備えられている。摩擦部２は指に沿った長さが約７ｍｍ、幅約２ｃｍの小さなものであるが、摩擦部の台４の厚みは５ｍｍある。厚さが５ｍｍと厚いので、メガネを擦る時に、指がメガネに当たらない。
従って、この第２の指輪２０でガラス製もしくはプラスチック製レンズを擦ると、第２の指輪２０は負に、それらレンズは正に帯電する。従って、プラスに帯電した花粉等の花粉症原因粉の目への侵入を防止することができる。
【図面の簡単な説明】
【００１３】
【図１】  本発明に係る指輪の斜視図。
【図２】  本発明に係る指輪の斜視図。
【符号の説明】
【００１４】１０…指輪
２０…指輪
１…リング部
２…摩擦部
３…ひだ
４…摩擦部の台
【図１】
2005292746.tif 000003
【図２】
2005292746.tif 000004
(57)【要約】【課題】営業活動や地域のお祭りに於いて宣伝用として、のぼりがよく使われておりますが、のぼりは軽い布で出来ているために、少し強い風が吹くと吹き上がり最上部の保持棒にすぐにからまってしまい、時々そのからまりをほどいたりしなくてはならず以外と手間のかかるものであった。この手間をはぶき宣伝効果を充分に発揮する様に、風での吹き上がりのからみつきを防止する。【解決手段】のぼり本体（１）の一部に袋部分（２）を設け、その袋部分に、棒、板、もしくは重りを入れて使用し、風による吹き上がりからみつきを防止するように、のぼり本体の一部に袋部分を設けることを特徴とする。【選択図】図１
2005292748.tif 000002
【特許請求の範囲】
【請求項１】
のぼりの一部に袋部分を設け、その袋部に風による巻き上げ防止用の棒、板、もしくは重りを装着出来るようにした、からみ防止のぼり。
【請求項２】
のぼりの一部に棒、板、もしくは重りを装着する為にひっつき接着咬合材を取り付けた、からみ防止のぼり。
【発明の詳細な説明】
【技術分野】
【０００１】この発明は、のぼりの一部に棒、板、もしくは重りを取り付け、のぼりが風の吹き上げによる、からみを防ぎ、見えやすくした、のぼりに関するものである。
【背景技術】
【０００２】従来ののぼりにはこの様なものはなく、只風の吹き上げ防止具としてプラスチックの半円状のものを、のぼり用竿とのぼりのチチ部に取り付け、のぼりの一部を固定していたが、なるほど吹き上げは防止出来るが、のぼりが竿に巻き付いてしまい、のぼりの宣伝効果、情報通知の役目を果たせないものとなっていた。
【発明の開示】
【発明が解決しようとする課題】
【０００３】のぼりは軽いものであり少し風が吹いても上に吹き上げられ最上部の保持棒にすぐにからまり、のぼりに書かれた文字、絵柄が見えづらくなりせっかくの宣伝、情報通知の効果を果たせないことが多かった。
本発明は以上のような欠点をなくすためになされたものである。
【課題を解決するための手段】
【０００４】のぼりの効果、役目を充分に果たさせる為には、のぼりが竿側で自由に動くこと、竿に巻き付かないこと、風で吹き上げられても上部の保持棒にからみつかないこと、吹き上がってもすぐに元に戻ること、以上を解決するために、のぼり本体の一部に袋部分を設け、その袋部分に棒、板、もしくは重りを入れて使用する事によって、のぼりの吹き上がりも途中までとなり、又吹き上がってもすぐに元に戻り、のぼりがからまなくなる様にした、からみ防止のぼりである。棒、板、重りはとりはずし自在である。前もって袋部分を設けておかず同位置にひっつき接着咬合材を取り付けておき、後に棒、板、もしくは重りを接着させても同じ効果となる。
【発明の効果】
【０００５】のぼりの袋部分に棒、板、もしくは重りを入れて使用するだけで、のぼりが風により吹き上がりからみつきが防げ、のぼりに書いてある文字、絵柄が見やすく、のぼりの宣伝効果、情報通知の一層の徹底をはかれるものである。又のぼりを片づけたり、たたんだりする時は袋部分から棒、板、もしくは重りは取り外しが容易で自在のため、取り外すだけで従来の、のぼりにとなり、折りたたんだり、洗濯する事も可能である。
【発明を実施するための最良の形態】
【０００６】のぼりの本体（１）の一部の竿通しチチ（３）に近い部分に袋部分（２）を設ける。袋部分の大きさは、その袋に入れようとする棒、板、もしくは重りの大きさによって設定して良い。
本発明は以上の様な構造で、これを使用するときは、袋部分に棒、板、もしくは重りを入れ通常通りのぼりを竿に取り付けて使用する。風が吹いても、のぼりがからまらなくなり、のぼりの効果抜群となる。【０００７】本発明は、風の吹いている日に、のぼり本体（１）の一部の竿通しチチ（３）に近い部分に袋部分（２）を設け棒を入れ竿に取り付けて使用した。棒を入れることにより、風による吹き上がりが有っても最上部の保持棒にからまらず、のぼり本来の宣伝効果、情報通知の役目を果たせた。【０００８】本発明は、従来ののぼり本体に棒、板、もしくは重りを装着する為に、ひっつき接着咬合材を取り付け、風による吹き上がりで最上部の保持棒にからまりを防ぎ、のぼり本来の宣伝効果、情報通知の役目を果たせる。
【図面の簡単な説明】
【０００９】１．のぼり本体です。
２．棒、板、重りを入れる袋部分です。
３．チチ部分です。
４．のぼり本体の保持棒です。
５．のぼり竿です。
６．棒、板、重りを入れる袋の入り口です。
【符号の説明】
【００１０】１．のぼり本体です。
２．棒、板、重りを入れる袋部分です。
３．チチ部分です。
４．のぼり本体の保持棒です。
５．のぼり竿です。
６．棒、板、重りを入れる袋の入り口です。
【図１】
2005292748.tif 000003
(57)【要約】      （修正有）【課題】工具や道具を用いずに看板の取付・取外しができ、持ち運びや収納に便利な看板を提供する。【解決手段】アームＢを塀などに引っ掛けアジャスターＡを手で締め付けることで簡単に固定化が出来、使用時以外はアームを回転させ、看板接合部分も折り畳める構造とする。【選択図】図１
2005292744.tif 000002
【特許請求の範囲】
【請求項１】
取付する為の穴開け作業などをしなくても色々な厚みの塀に引っ掛け、締め付け可能なアジャスター付で、アジャスター付アームが回転し折り畳め、持ち運びやすく収納に場所を取らない平型１面看板
【請求項２】
前記回転アジャスター付アームで看板部分も蝶番により折り畳めるＬ型２面看板
【請求項３】
前記のコの字型３面看板
【発明の詳細な説明】
【技術分野】
【０００１】本発明は誰でも簡単に脱着可能な引っ掛け折り畳み式の看板に関する
［背景技術］【０００２】従来看板の取付・取外しは看板屋等の専門職が行うケースが多かった【０００３】ブロック等の塀に引っ掛けて使用する看板は（特に２面型・３面型）使用時以外はかさばり持ち運びずらかったり、収納に場所を取ってしまうものである
［発明の開示］
［発明が解決しようとする課題］【０００４】技術及び工具・道具が無くても取付、取外しが簡単に行えることを目的とするものである【０００５】回転軸や蝶番を用いて折り畳み式にすることを目的とするものである
［課題を解決するための手段］【０００６】以上の課題を解決するために、色々な厚みの塀に対応出来、素手で締め付け固定化出来るアジャスターを付けた【０００７】上記アジャスター付アームを回転軸により回転させ折り畳める構造とした【０００８】Ｌ型２面及びコの字型３面は看板本体の接合部分に蝶番を付け、看板本体も折り畳める構造とした
［発明の効果］【０００９】アジャスター付アームを回転軸にて回転・看板接合部を蝶番にて折り畳みにしたことにより非常にコンパクトに折り畳むことが出来る【００１０】素手でも締め付けられるアジャスターを付けたことにより簡単に固定化が出来る
［発明の実施するための最良の形態］【００１１】看板として使用する時はブロック塀等にアームを引っ掛けアジャスターを手で締め付け固定する。使用しない時には折り畳んでコンパクトにし、持ち運び・収納しやすくする
【図面の簡単な説明】
【００１２】  ［図面１］    Ｌ型２面看板  斜視図
［図面２］    Ｌ型２面看板  折り畳み時  立面図
［図面３］    Ｌ型２面看板  使用時  立面図
［図面４］    平型１面看板  使用時  立面図
［図面５］    コの字型３面看板  使用時  立面図
【符号の説明】
【００１３】  ▲Ａ▼  アジャスター
▲Ｂ▼  回転式アーム
▲Ｃ▼  看板本体
▲Ｄ▼  蝶番
▲Ｅ▼  回転軸
▲Ｆ▼  ブロック等の塀
【図１】
2005292744.tif 000003
【図２】
2005292744.tif 000004
【図３】
2005292744.tif 000005
【図４】
2005292744.tif 000006
【図５】
2005292744.tif 000007
(57)【要約】【課題】ユーザーに不快感を与える振動、複雑な制御機構がなく、表示図形の大きさの制約もない、複数図形表示可能なレーザーポインターを低コストで提供すること。【解決手段】レーザーポインターにおいて、光源１から出射されたレーザービームの光路を切替ミラー２の移動によって複数に切替え、切替えられた光路上に異なる図形の表示できる機構を配し、切替ミラー２の位置を切替えることによって複数の図形表示を可能にする。さらに、前記レーザーポインターの図形表示方法のひとつとして、モーター９の軸に対して垂直から少し傾いたミラー１０をモーター９の軸に取り付け、ミラー１０を光路５上に配し、モーター９を回転させ、ミラー１０の反射光がサークルを表示する。【選択図】図１
2005292749.tif 000002
【特許請求の範囲】
【請求項１】
レーザーポインターにおいて、光源から出射されたレーザービームの光路をミラーの移動によって複数に切替え、切替えられた光路上に異なる図形の表示できる機構を配し、当該ミラーの位置を切替えることによって複数の図形表示を可能にすることを特徴とするレーザーポインター。
【請求項２】
前記レーザーポインターにおいて、モーター軸に対して垂直から少し傾いたミラーを当該モーター軸に取り付け、当該ミラーを請求項１に記載の切替えられた光路の１つの上に配し、モーターを回転させ、当該ミラーの反射光がサークルを表示することを特徴とする、請求項１に記載のレーザーポインター。
【発明の詳細な説明】
【技術分野】
【０００１】  本発明は、ポイント以外の数種類の像を作り出すレーザーポインターに関するものである。
【背景技術】
【０００２】  講演、プレゼンテーション等で用いられるレーザーポインターは、ポイント表示が一般的であるが、指示対象物や支持者の意図に応じて表現力を高めるため、ラインやサークル等を表示できるものもある。【０００３】  ポイント以外の表示を実現するために、これまでミラーを振動させる方法が取られている。特にサークル等の２次元表示の場合は、２枚のミラーを同期して振動させる方法、あるいはひとつのミラーを２次元に振動させる方法が用いられている。【０００４】  こうした駆動方法は、振動を伴ってユーザーに不快感を与え、振動制御などに複雑な制御機構が求められ、結果としてコストアップを招き、さらに機構上振幅に制約があることから、表示図形の大きさに制約ができてしまう。
【特許文献１】特開平７−６４０１８号公報
【特許文献２】特開平７−６４０１９号公報
【特許文献３】特開平１０−２５３９２４号公報
【特許文献４】特開平１１−２８７９６７号公報
【特許文献５】特開２０００−２７５５７３号公報
【発明の開示】
【発明が解決しようとする課題】
【０００５】  解決しようとする課題は、ユーザーに不快感を与える振動、複雑な制御機構が求められること、高いコスト、表示図形に大きさの制約があることである。
【課題を解決するための手段】
【０００６】  本発明は、ミラーの位置を切替えることによって光源から出たレーザービームの光路を複数に切替え、それぞれの光路上に異なる図形の表示できる機構を配し、ミラーの位置を切替えることによって複数の図形を切替表示できることを特徴とする。【０００７】  さらに、図形の表示できる機構の１つとして、モーター軸に対して垂直から少し傾けたミラーをこのモーター軸に取り付け、モーターを回転させ、そのミラーでレーザービームを反射させることでサークルを表示することを特徴とする。
【発明の効果】
【０００８】  本発明の切替機構を使用したレーザーポインターは、ユーザーに不快感を与える振動がなく、複雑な制御機構も必要とせず、大きな図形の表示も可能で、低コストでサークル等の複数の表示を可能とする利点がある。
【発明を実施するための最良の形態】
【０００９】  レーザービームを、位置の切替が可能なミラーに入射し、そのミラーの位置を切替えることによって反射光が異なる光路へ進む。各光路上に、それぞれ異なる図形を描くことのできる機構を配置する。ミラーの位置を、反射光が各光路へ進むように切替えることにより、異なる図形が表示される。この切替えられた光路の１つに、モーター軸に対して垂直より少し傾いたミラーをこのモーター軸に取付けて配し、モーターを回転させる。このミラーで反射された光は、その傾きに応じた大きさで円を描く。
【実施例】
【００１０】  図１に本発明の実施例を示す。レーザー光源１から出射されたレーザービームは、光路を切替えるための切替ミラー２に届く。切替ミラー２は回転のできる機構を擁しており、３つの位置で止めることができる。そのうちの１つは、レーザービームを素通りさせ、光路３を通って前面にポイントを写し出す。他の２つの位置では、レーザービームは切替ミラー２で反射され、反射光はそれぞれ４、５の光路を進む。光路４上には、レーザービームを前面に向けるためのミラー６が配置され、これによって光路４は光路７へと進む。光路７上には円柱レンズ８が配置され、それを通過した光は線状となって前面にラインを写し出す。一方、光路５上には、モーター９の軸に対して垂直から少し傾いた角度でモーター９の軸に取付けたミラー１０が配置されている。モーター９は、適当な速度で回転する。光路５を通ってミラー１０で反射されるレーザービームは前面へと向かい、サークルを写し出す。ミラー１０の角度がモーター軸に対して８９度の場合、モーターを回転させると５ｍ先で直径約０．１７ｍの円が表示される。【００１１】  ここではミラー２は回転機構を持つが、レーザービームに対してある角度を持って直進する機構であっても光路を複数に分割することができ、各光路上にそれぞれ異なる図形を表示することのできる機構を配置すれば、同様の効果が得られる。ミラー２の駆動は、手動、モーターやアクチュエータによる駆動などが考えられる。円柱レンズ８は、シリンドリカルレンズであっても同様の効果が得られる。また、本実施例ではポイント、ライン、円の３種類の図形表示を示したが、別の図形あるいはさらに多くの種類であっても、同じ原理で表示できる。
【図面の簡単な説明】
【００１２】
【図１】本発明の実施方法を示した説明図である。（実施例）
【符号の説明】
【００１３】  １  レーザー光源
２  切替ミラー
３  光路
４  光路
５  光路
６  ミラー
７  光路
８  円柱レンズ
９  モーター
１０  ミラー
【図１】
2005292749.tif 000003